(57)【要約】  ドラムキャップ通気装置は、概して、通気用キャップアセンブリを含む。通気用キャップアセンブリは、通気用キャップと通気用キーを含むことができる。通気用キャップは、概して、主本体部と、バルブ部と、リング部とを含む。通気用キーは、概して、キー本体部と通気用チューブとを含む。通気用キーは、通気用キャップのバルブ部と回転係合し、キーの回転により、ドラムから、通気用キャップの導管を経て、通気用キーの通気用チューブの外へ出る、連続的な流体流通用の通路を提供する。その結果、加圧ガスをドラムから解放或いは放出することによって、加圧ガスは、ユーザーから離れた安全な場所或いは安全な装置へを導かれることが可能となる。
2008537717.tif 000002
【特許請求の範囲】
【請求項１】
加圧された流体を、流体収容ドラムから排出するための通気用キャップ装置であって、前記ドラムは、前記ドラムの内部へのアクセスを提供する少なくとも一つの注ぎ口開口部を含み、当該通気用キャップ装置は、
キャップ部と通気用キー部とを有し、
前記キャップ部は、主本体と回転可能なバルブ本体とを含み、
前記主本体は、前記ドラムの前記少なくとも一つの注ぎ口開口部と操作可能に係合するものであり、前記ドラムの前記内部と操作可能に流通する本体導管を含み、
前記回転可能なバルブ本体は、バルブ部材を含み、前記バルブ部材は、前記バルブ部材を貫通して延びるバルブ導管を含み、
前記通気用キーは、前記回転可能なバルブ本体と操作可能に係合する少なくとも一つの係合部材を含むキー本体と、通気用チューブとを有し、
前記通気用チューブは、前記係合部材が前記回転可能なバルブ本体と操作可能に係合すると、前記バルブ導管と操作可能に位置揃え及び流通可能な第一の端部を含み、前記通気用キーの回転によって、係合された回転可能なバルブ本体が回転して、前記本体導管に対して前記バルブ導管が位置揃えし、加圧された流体を、前記ドラムの前記内部から、前記本体導管及びバルブ導管を経て、そして前記通気用チューブを経て外部に排出するための、連続的な流体通路が提供される、
通気用キャップ装置。
【請求項２】
請求項１に記載の通気用キャップ装置であって、少なくとも前記キャップ部と前記通気用キー部とはフッ素重合体からなる通気用キャップ装置。
【請求項３】
請求項１に記載の通気用キャップ装置であって、前記バルブ導管は、前記バルブ部材の長手軸方向に沿って配置された第一のバルブ導管部と、前記長手方向軸に対してほぼ横方向であって、前記第一のバルブ導管部と流体流通する横方向バルブ導管部とを含み、前記横方向バルブ導管は、前記通気用キーの係合された係合部材が回転することによって、前記本体導管と位置揃え可能である通気用キャップ装置。
【請求項４】
請求項１に記載の通気用キャップ装置であって、前記通気用チューブは、前記第一の端部の遠位にあり、前記ドラムから距離をおいた第二の端部で終結する通気用キャップ装置。
【請求項５】
請求項４に記載の通気用キャップ装置であって、前記第二の端部は、スクラバー装置に操作可能に接続される通気用キャップ装置。
【請求項６】
請求項４に記載の通気用キャップ装置であって、前記第二の端部は、安全な流体排出場所に導かれる通気用キャップ装置。
【請求項７】
請求項１に記載の通気用キャップ装置であって、前記回転可能なバルブ本体は、前記主本体の少なくとも一つのストップ部と操作可能に係合可能な、少なくとも一つの延びた耳部を含み、前記回転可能なバルブ本体の回転移動を制限する通気用キャップ装置。
【請求項８】
請求項１に記載の通気用キャップ装置であって、前記キャップ部の前記主本体は、前記少なくとも一つの注ぎ口開口部と連結するドラム挿入具と操作可能に係合する通気用キャップ装置。
【請求項９】
請求項１に記載の通気用キャップ装置であって、前記ドラムは、前記注ぎ口開口部の上方に配置された上部ネジ付き部を有するドラム挿入具と、前記ドラムの前記内部へと下方に延びる下方チューブ部とを含み、前記通気用キャップはネジ部を含み、前記ドラム挿入具の前記上部ネジ付き部とネジ係合する通気用キャップ装置。
【請求項１０】
請求項１に記載の通気用キャップ装置であって、前記通気用キー部と前記キャップ部は別個である通気用キャップ装置。
【請求項１１】
加圧されたガスを流体収容ドラムから排出する通気用装置であって、前記ドラムは、前記ドラムの内部への少なくとも一つのアクセス開口部を含み、当該通気用装置は、
キャップ部と通気用キー部とを有し、
前記キャップ部は、主本体と、回転可能なバルブ本体とを含み、
前記主本体は、前記ドラムの前記少なくとも一つのアクセス開口部と操作可能にネジ係合し、
前記回転可能なバルブ本体は前記主本体内に配置され、前記回転可能なバルブ本体はバルブ部材を含み、前記バルブ部材は、前記バルブ部材を長手方向に貫通して延びる第一のバルブ導管と、前記バルブ部材を横方向に貫通して延びると共に、前記第1のバルブ導管と流体流通を行う第二のバルブ導管とを含み、
前記通気用キー部は、キー本体と、通気用チューブとを含み、
前記キー本体は、前記キー本体内を貫通する穴と、少なくとも一つの係合部材とを含み、前記少なくとも一つの係合部材は、前記回転可能なバルブ本体と操作可能に係合するように適合されており、
前記通気用チューブは、前記穴を貫通して延びるように適合されるとともに、前記係合部材が前記回転可能なバルブ本体と操作可能に係合すると、前記第一のバルブ導管との位置揃え及び流通が可能な第一の端部を有し、
前記通気用キーの開位置への回転によって、前記キー本体の係合部材がバルブ本体と操作可能に係合すると、前記バルブ本体が対応して回転して、前記ドラムの前記内部と操作可能な流体流通のために、前記第二のバルブ導管が位置揃えされ、加圧された流体を前記ドラムから前記通気用チューブを経て外部に排出する、
通気用装置。
【請求項１２】
請求項１１に記載の通気用装置であって、前記キャップ部の少なくとも一部と前記通気用キー部は、フッ素重合体で構成される通気用装置。
【請求項１３】
請求項１１に記載の通気用装置であって、前記通気用チューブは、前記第一の端部の遠位にあり、前記ドラムから距離をおいた第二の端部で終結する通気用装置。
【請求項１４】
請求項１３に記載の通気用装置であって、前記第二の端部は、スクラバー装置に結合される通気用装置。
【請求項１５】
請求項１３に記載の通気用装置であって、前記第二の端部は、安全な排出場所に導かれる通気用装置。
【請求項１６】
請求項１１に記載の通気用装置であって、前記回転可能なバルブ本体は、前記主本体の少なくとも一つのストップ部と係合可能な、少なくとも一つの延びた耳部を含み、前記回転可能なバルブ本体の回転移動を制限する通気用装置。
【請求項１７】
請求項１１に記載の通気用装置であって、前記キャップ部の前記主本体は、前記ドラムの前記少なくとも一つのアクセス開口部と結合されるドラム挿入具とネジ係合される通気用装置。
【請求項１８】
請求項１１に記載の通気用装置であって、前記通気用キー部と前記キャップ部は別個である通気用装置。
【請求項１９】
加圧された流体を流体収容ドラムから排出するキャップアセンブリであって、前記ドラムは、前記ドラムの内部への少なくとも一つのアクセス開口部を含み、前記キャップアセンブリは、
前記ドラムの前記少なくとも一つのアクセス開口部を閉じる手段を含み、前記閉じる手段は、
バルブ導管を前記ドラムの前記少なくとも一つのアクセス開口部と操作可能で回転可能に位置揃えするバルブ手段と、
前記バルブ手段と操作可能で回転可能に係合して、前記バルブ導管を前記ドラムの前記少なくとも一つのアクセス開口部と位置揃えさせることで、加圧された液体を前記ドラムから排出するための手段と、
を含むキャップアセンブリ。
【請求項２０】
加圧された流体をドラムから排出する方法であって、
前記ドラムの内部へのアクセス開口部を有する流体収容ドラムを設け、
前記ドラムの前記少なくとも一つのアクセス開口部と操作可能に係合するドラムキャップを設け、ここで前記ドラムキャップは回転可能なバルブ部材を含み、前記バルブ部材は、さらにバルブ部材を貫通して延びるバルブ導管を含み、
通気用部材を設け、ここで前記通気用部材は、前記ドラムキャップと操作可能に係合するように適合されるとともに、前記ドラムキャップから延びる通気用チューブを有し、
前記通気用部材を前記ドラムキャップに操作可能に係合し、
前記通気用部材を回転し、その回転に応じて、前記ドラムの前記内部から、前記バルブ部材の前記バルブ導管を経、前記通気用チューブを経て外部へと、加圧された流体を前記ドラムの前記内部から排出するための流体通路が開かれるまで、前記ドラムキャップの前記バルブ部材が回転する、
ことを有する流体排出方法。
【請求項２１】
請求項２０に記載の方法であって、通気用部材を設けることは、通気用キーを設けることを含む流体排出方法。
【請求項２２】
請求項２０に記載の方法であって、前記通気用部材を前記ドラムキャップと操作可能に係合されることは、前記通気用部材の少なくとも一つの係合用タブを、それに対応する前記回転可能なバルブ部材の係合部と係合されることを含む流体排出方法。
【請求項２３】
請求項２０に記載の方法であって、前記回転可能なバルブ部材の前記バルブ導管は、前記バルブ部材を長手方向に貫通して延びる第一のバルブ導管と、前記バルブ部材を横方向に貫通して延びるとともに、前記第一のバルブ導管と流体流通を行う第二のバルブ導管とを含み、前記係合された通気用部材の対応する回転による前記バルブ部材の回転によって、前記第二のバルブ導管と前記ドラムの前記内部との操作可能な流体流通をもたらして、前記流体通路を提供し、加圧された流体を前記ドラムの前記内部から排出する流体排出方法。
【請求項２４】
請求項２０に記載の方法であって、前記通気用部材を設けることは、フッ素重合体の通気用部材を設けることを含む流体排出方法。
【請求項２５】
請求項２０に記載の方法であって、前記ドラムキャップを設けることは、フッ素重合体のドラムキャップを設けることを含む流体排出方法。
【請求項２６】
請求項２０に記載の方法であって、前記通気用部材を設けることは、前記通気用部材に安全な流体排出場所で終結する第二の端部を有する前記通気用チューブを設けることを含む流体排出方法。
【発明の詳細な説明】
【技術分野】
【０００１】
本出願は、２００５年４月８日に出願された米国仮出願番号６０／６６９，９４６の利益を請求しており、その全体を参照によりここに導入する。
【０００２】
本発明は、一般には流体取出しシステムに関する。より詳しくは、加圧された流体を取出し容器から排出するための通気機構を有する注ぎ口キャップ装置に関する。
【背景技術】
【０００３】
半導体処理や薬物製造、化学品製造といった工業においては、高純度で腐食性が高い流体が利用されている。安全性と品質を考慮し、これらの流体は、容器内であって信頼性と完全性をもつ取出しシステム内に収容されなければならない。これらの流体を扱う連結部、チューブ、取付具は、高度に不活性な物質で形成されなければならない。こういった環境には、フッ素重合体が使用に適していることがわかっている。チューブはＰＦＡで形成することが可能で、また取付具やバルブ部品、取出しヘッドはＰＦＡやＰＴＦＥその他のフッ素重合体といった構成材で形成することが可能である。これらの流体を扱う容器は、ここで参照によって導入する米国特許第６，０４５，０００号で開示されているように、高純度のポリエチレンで形成されたプラスチック製ドラムであることが一般的である。ドラムは、従来方式では、上方で同心の注ぎ口用の接管に連結する下方チューブ部を含むドラム挿入具を伴った注ぎ口開口部を有している。取出しヘッドはドラム挿入具と結合し、流体をドラムから取り出すための接管につながると共に接管に密閉係合する主の流体通路を有している。
【０００４】
ドラムの輸送時或いは格納時、従来のキャップやプラグは、ドラムの注ぎ口の開口部の全体を覆って、或いは開口部の中に配置される。様々な要因により、輸送や格納中ドラム内に圧力が蓄積される。これらの要因の中には、ドラム内に蓄えられた流体／物質の種類、蓄積時間、標高や温度変化、輸送活動やその他が含まれる。例えば、アンモニア水酸化物や過酸化物が一般的に保存され輸送される流体であり、これらの流体はしばしばドラム内に圧力を蓄積する。取出しヘッドを使用前のドラムに接続するために、キャップを加圧ドラムから取り外すとき、ガス自体或いは保存されている流体自体が、注ぎ口開口部から放出され、ドラムの近くにいる人にとって非常に深刻な安全上の脅威をもたらす。
【０００５】
こういった加圧に関連した懸案事項を解決するための試みとして、これまで複数の通気システムが開発されてきている。つまり、内部ドラム圧力を解放するため、さまざまな通気接続ポートやバルブがドラム取付具或いはドラム蓋部に付加されてきた。そのようなシステムの例が、前に導入した米国特許第６，０４５，０００号に開示されている。しかし、そのような従来の通気技術には、加圧ガスを安全な場所に排出、排気することを確実にするのに必要な設計と機構が組み込まれてはいない。したがって、従来の流体保存用、取り出し用ドラム内の圧力増加に特有の危険と懸念を解決する保存用、輸送用ドラムが必要とされている。
【特許文献１】米国特許第６，０４５，０００号
【特許文献２】米国特許公開第２００３００１０３８７Ａ１号
【特許文献３】米国特許第４，６９９，２９８号
【特許文献４】米国特許第５，１０８，０１５号
【特許文献５】米国特許第５，５２６，９５６号
【特許文献６】米国特許第５，９５７，３２８号
【発明の開示】
【課題を解決するための手段】
【０００６】
流体取り出しシステムは一般に、注ぎ口を有するドラムと、注ぎ口に挿入される下方チューブを含むドラム挿入具と、ドラム内の流体への取り出しアクセスを提供するためドラム挿入具と結合する取り出しヘッドとを有する。ドラムとその内容物の輸送そして／或いは保存を容易にするため、取り出しヘッドは取り外し可能である。このような状況において、注ぎ口開口部を閉じるために、キャップは、注ぎ口開口部或いはドラム挿入具とネジ係合する。
【０００７】
本発明によるドラムキャップ通気装置は、概して、通気用キャップアセンブリを含む。通気用キャップアセンブリは、通気用キャップと通気用キーを含むことができる。通気用キャップは、概して、主本体部とバルブ部とリング部とを含む。通気用キーは、概して、キー本体部と通気用チューブとを含む。通気用キーは、通気用キャップのバルブ部と回転係合し、キーの回転により、ドラムから通気用キャップの導管を経て、通気用キーの通気用チューブの外へ出る連続的な流体流通の通路を提供する。その結果、加圧ガスをドラムから解放する或いは排出することによって、加圧ガスは、ユーザーから離れた安全な場所或いは安全な装置へ導かれることが可能となる。
【０００８】
本発明の実施例の特徴および利点は、ドラムキャップ通気装置が加圧された流体を安全な場所へ安全に排出することを確実にしていることである。ドラムの開口部からガスや流体が散布されてしまうという好ましくない状況を開口時において避けることができる。
【０００９】
本発明の実施例の特徴および利点は、通気用キャップと通気用キーの部品の組み合わせによって、流体をドラムから適切に排出することを確実にしていることである。このように、流体をドラムから安全でない状態で排出することを避けることができる。
【００１０】
本発明の実施例の特徴および利点は、通気キャップ装置はＰＥ、ＰＦＡ、ＰＴＦＥなどの様々な熱重合体によって構成することができるということである。
【００１１】
本発明の実施例の特徴および利点は、通気用キーはエンドユーザーによってドラムと別々に保持可能であるので、ドラムと通気用キャップが到着したとき、選択的に排気を行うことが可能となる。その結果、適切で安全な通気環境或いは通気装置を有する施設において、排気を行うことができる。
【００１２】
本発明の実施例の特徴および利点は、通気用バルブアセンブリは輸送用及び保存キャップ用内に内蔵されうるということである。
【００１３】
本発明の実施例の特徴および利点は、ユーザーは、ドラムそれぞれに対して独自の一体化された通気機構に頼ることなく、様々なドラムに対して通気用キャップを使用することができることである。このように、通気の必要性を要求する薬品や物質を含むドラムに対してだけ、通気用キャップ装置を用いることができる。
【発明を実施するための最良の形態】
【００１４】
図１から８を全体的に参照すると、流体容器通気システム１０が図示されている。通気システム１０は、大まかに言って、ドラム１２と通気キャップアセンブリ１４とを含む。図１から３に示されるように、ドラム１２は、容器ハウジング１６と、少なくとも一つの注ぎ口或いはアクセス用開口部１８と、ドラム挿入具２０とを含むことができる。ドラム挿入具２０は、下方チューブ部２２と、少なくとも一つの上部ネジ付き部２４とを含む。ドラム１２は、例えば、ブロー成形過程で形成されるポリマーから複数の層で構成することができ、内部に様々な袋／膜、或いは内張り部を含むことができる。一つの実施例においては、ドラム１２はポリエチレンで構成されるが、無数のその他の材質も想定することが可能である。前記の少なくとも一つの注ぎ口開口部１８は、ほぼドラム１２の上部に形成され、ドラム挿入具２０は、図１から３に示されるように注ぎ口１８と結合するように適合される。さらに、様々な取り出しヘッド２１と他の取付具が、ドラム挿入具２０そして／或いは注ぎ口１８に接続可能であり、流体をドラム１２から取り出すことを容易にし、また流体のドラム１２への再循環を容易にする。本発明で使用されるドラム、挿入具、取り出しヘッドそして他の取付具や構成要素の例は、米国特許公開第２００３００１０３８７Ａ１号、及び米国特許第４，６９９，２９８号、第５，１０８，０１５、５号，第５２６，９５６号、そして第５，９５７，３２８号に開示されており、そのそれぞれは参照によりここに導入する。
【００１５】
主に図４から７を参照すると、通気用キャップアセンブリ１４が示されている。通気用キャップアセンブリ１４は、通気用キャップ２６と通気用キー２８を含むことができる。通気用キャップ２６は、大まかに、主本体部３０と、バルブ部３２と、リング部３４とを含む。一つの実施例において、通気用キャップ２６の構成要素は別々に区別でき、図4に特に示されるように、通気用キャップ２６を構成するために組み立てることができる。しかし、他の実施例においては、一つ或いは一つ以上の構成要素は、一体的に形成され、さもなくば、結合することもできる。通気用キャップ２６は、ＰＦＡ、ＰＴＦＥ、ＰＥ或いは無数の他のポリマーや既知の材質といった様々な材料で構成することが可能である。
【００１６】
通気用キャップ２６の主本体部３０は、挿入具３５と、少なくとも一つの係合用タブ３６と、主本体導管３７とバルブ凹部３８とを含む。挿入具３５は、キャップ２６をドラム挿入具２０或いはドラム２０の他の構成部に結合するように適合され、少なくとも一つの注ぎ口開口部１８を密封する。例えば、キャップ２６の挿入具３５は、ネジが付けられているか、圧入用に適合されるか、などが可能である。他の結合技術も想定可能である。バルブ凹部３８は、リップ或いは溝部３９ａと、スロット或いは溝部３９ｂとを含むことができる。図６と７に示されるように、主本体導管３７は角度をつけることができ、そしてドラム挿入具２０或いはドラム１２の内部との流体流通のため、主本体部３０を通って末端が外部に出るように構成することが可能である。
【００１７】
バルブ部３２は、主通気用部材４０と、通気用本体リング４６と、少なくとも一つの係合用耳４８と、回転スロット部４９とを含む。主通気用部材４０は、さらに、概ね部材４０の長手方向軸に沿った主バルブ導管４２と、横に伸びるバルブ導管４４とを含む。導管４２、４４は、通気用部材４０を通して、お互いに流体の流通を行う。一つの実施例では、横に伸びるバルブ導管４４は、通気用部材４０の側壁を貫通し、主バルブ導管４２よりも多少細く、かつほぼ垂直である。バルブ本体リング４６は、バルブ本体リング４６から外に向かって伸びる係合用耳４８を有する通気用部材４０の周囲に配置される。回転スロット部４９は、バルブ本体リング４６内に形成された穴のある部分であり、ここに述べるキー２８のそれぞれの部分と係合する。
【００１８】
リング部３４は、リング部３４を貫通するリング開口５０と、グリップ部５２と、ネジ部５３とを含む。リング開口５０は、ほぼ、少なくともキー２８の一部そして／或いは主本体部３０を挿入することができる大きさである。グリップ部５２は、リング部３４の周辺に沿って形成され、キャップ２６を手で操作することを容易にする。一つの実施例では、グリップ部５２は、相隔たった平坦部とへこみ部が連なったものである。他の配置と設計も想定することができる。ネジ部５３は、キャップ２６の内側部分内にあり、開口部１８上の対応するネジ部と、或いはドラム挿入具２０の対応するネジ部２４（図３）とネジ螺合するよう適合される。他のネジ形態或いは結合形態も同様に採用することができる。
【００１９】
一つの実施例では、図４に示されるように、キャップ部３０、３２、３４は、通気用キャップ２６を作る或いは組み立てるため、スナップ式或いは嵌め合い式で係合可能、或いは結合可能である。例えば、一つの実施例では、バルブ部３２は、主本体部３０のバルブ凹部３８内に固定される。この場合、バルブ本体リング４６は主本体３０の対応するスロット部３９bに沿ってスライド可能であり、二つの向かい合った係合用耳４８は、主本体３０のリップ部３９aに沿って、或いはリップ部３９a内に乗る。主本体部３０内にあるバルブ部３２の回転可能な移動は、耳４８が、バルブ凹部３８内の、或いは主本体部３０の他の部分内の壁或いはストップ位置に当接可能に係合することによって制限される。従って、耳４８の回転は、１８０度かそれより少ない角度の回転移動距離に制限される。バルブ部３２と耳４８についての他の回転移動と移動配置は、本発明の精神と範囲から逸脱することなく、採用することができる。
【００２０】
図５から７を全体的に参照すると、係合用タブ３６は、リング開口５０に隣接したリング３４のそれぞれの部分と係合して、リング３４と主本体部３０とを互いに結合する。その結果、組み合わされた主本体部３０とバルブ部３２はリング開口部５０内にしっかりと配置され、主本体３０の挿入具３５はリング３４から下方に伸び、ドラム挿入具２０と係合する。そのような配置では、バルブ部３２は、キャップ２６と主本体３０内で独立に回転可能である。様々な通気用キャップ構成要素３０、３２、３４を結合するには、他の様々な取り付け技術や方法が採用できることには留意すべきである。例えば、スナップ式或いは圧力式のはめ込み、接着技術、成形技術、そして無数のその他既知の取り付け技術が同様に実施可能である。
【００２１】
一つの実施例では、通気用キー２８は、通気用キャップ２６と分離し、そしてキー本体部５４と、少なくとも一つの係合用タブ５６と、通気用チューブ５８とを含む。キー本体部５４は、通気用チューブ５８を挿入するための、キー本体部５４を貫通する穴５５を含む。前記少なくとも一つの係合用タブ５６は、フランジ６０を含むことができる。通気用チューブ５８はさらに、第一の端部６２と、チューブ本体部６４と、チューブ本体６４内を貫通するチューブ導管６８を含む。第一の端部６２は、図６と７に示すように、主通気部４０の端部上をスライドすべく、広がっている。この場合、通気用部材４０の導管４２、４４とチューブ導管６８によって、キー２８のキャップ２６への挿入の際に、流体を流通させることが可能となる。通気用チューブ５８の第二の端部は、ここでさらに議論するように、様々な装置に接続するため、或いは様々な環境で設置するため、通気用キャップアセンブリ１４から離れた場所へと延ばすことができる。代替の実施例では、通気用チューブ５８は、結合、はめ込み、接着或いはその他様々な既知の技術や方法によって、キー２８の一部、例えば穴５５の内部、或いは穴５５の出口部に結合することもできる。
【００２２】
図６と７に示されるように、通気用キー２８は、バルブ部３２に係合するために、通気用キャップの主本体部３０に挿入可能である。特に、一つの実施例では、通気用キー２８は、バルブ部３２の回転スロット４９内に対で位置揃えが可能な、二つの向かい合う係合用タブ５６を含む。そのような配置では、フランジ６０は、バルブ本体リング４６の面上にほぼ載せられて、さらに、係合用タブ５６とバルブ部３２との係合を確実にすることができる。その結果、挿入され係合されたキー２８の回転によって、バルブ部３２は強制的に、対応して回転移動をさせられる。この回転移動は、再度述べるが、バルブ凹部３８の部分そして／或いは主本体部３０に沿った、耳４８とリング４６とのスタートとストップ位置とによって制限することができる。
【００２３】
係合された通気用キー２８の回転による、バルブ部３２とこれに対応する主通気用部材４０の回転が、さらに、横に延びているバルブ導管４４と主本体部３０の導管３７との選択的な位置揃えを可能にしている。図６に示す閉位置においては、横に延びたバルブ導管４４は、主本体部３０の導管３７と流体流通されない位置にあるので、ドラム１２内及びドラム挿入具２０内にある流体、加圧ガスは、完全にそれらの内部に収容される。この時点で、もし通気用キャップ２６を注ぎ口開口部１８から取り外した場合、ドラム１２の加圧された流体内容物が解放され、付近にいる者を害する可能性がある。このような危険を最小限にするため、通気用キャップアセンブリ１４の操作によって、キャップ２６を外す前に、ドラム１２から加圧流体或いはガスの排出をする働きをさせることができる。
【００２４】
ドラム１２内の加圧ガスを安全な場所（例えば、スクラバー８０）に排気するために、挿入キー２８は、バルブ部３２内で回転される。移動経路に沿ったバルブ部３２と通気用部材４０のこの回転に応じて、横に延びたバルブ導管４４が回転し、図７に示されるように、主本体部３０の導管３７との流体流通がされる。その結果、バルブの開位置が達成され、ドラム１２から、本体導管３７を経て、横に延びたバルブ導管４４と主バルブ導管４２を経、そしてチューブ導管６８の内部及び外部に至る連続的な流体流通が提供される。これによって、次に、ドラム１２とドラム挿入具２０の加圧された内容物に対する流体流通の通路が、通気用チューブ５８の終端を経て外部に出て、安全な通気場所へと至り、提供される。排気発生前に、通気用キー２８とバルブ部３２との係合および回転が要求されることによって、本発明は、従来の通気機構によるキャップ自体での排気ではなく、加圧流体或いはガスが安全な場所に排気されることを確実にする。安全な環境或いは安全な場所は、隔離された部屋、囲い、スクラバー８０（図1）のような既知の装置を含むことができる。通気用チューブ５８の一端と連通して、流体排出用の安全な場所を提供するための無数の他の場所そして／或いは装置が想定される。
【００２５】
本発明は、そのいかなる本質的属性の精神からも逸脱しない他の特定の形態において、具体化することができる。したがって、図による実施例は、全ての点において、一例であってこれに制限されるものではなく、そして、本発明の範囲を示すものとしては、先の記載ではなく、添付の請求の範囲が参照される。
【図面の簡単な説明】
【００２６】
【図１】本発明の一実施例における、スクラバーから延びている通気用チューブを有する、流体取り出しドラムと通気装置を示す斜視図である。
【図２】本発明の一実施例に使用される、流体取り出しドラム、ドラム挿入具そして取り出しヘッドを示す切欠斜視図である。
【図３】本発明の一実施例に使用されるドラム注ぎ口開口部と係合するドラム挿入具を示す断面図である。
【図４】本発明の一実施例における、ドラムキャップ通気装置の分解斜視図である。
【図５】本発明の一実施例における、ドラムキャップ通気装置の分解斜視図である。
【図６】本発明の一実施例における、閉状態のドラムキャップ通気装置を示す分解断面図である。
【図７】本発明の一実施例における、開状態のドラムキャップ通気装置を示す断面図である。
【図１】
2008537717.tif 000003
【図２】
2008537717.tif 000004
【図３】
2008537717.tif 000005
【図４】
2008537717.tif 000006
【図５】
2008537717.tif 000007
【図６】
2008537717.tif 000008
【図７】
2008537717.tif 000009
【国際調査報告】
2008537717.tif 000010